(57)【要約】【課題】水中で衣料と衣料又は衣料と他の物体とを接触させ擦っても、摩擦が低減する効果、摩擦が低減することで毛羽が立ちにくい効果といった衣料ケア効果を有する、衣料用ケア組成物を提供する。【解決手段】下記（ａ）成分、（ｂ）成分及び（ｃ）成分を含有し、（ａ）成分と（ｃ）成分の質量比である（ｃ）成分／（ａ）成分が１以上２０以下である、衣料用ケア組成物。（ａ）成分：糖骨格を有するノニオン界面活性剤及びアミド基を有するノニオン界面活性剤から選ばれる１種以上のノニオン界面活性剤（ｂ）成分：多糖ポリマー（ｃ）成分：（ａ）成分以外の界面活性剤【選択図】なし【特許請求の範囲】
【請求項１】
下記（ａ）成分、（ｂ）成分及び（ｃ）成分を含有する、衣料用ケア組成物。
（ａ）成分：糖骨格を有するノニオン界面活性剤及びアミド基を有するノニオン界面活性剤から選ばれる１種以上のノニオン界面活性剤
（ｂ）成分：多糖ポリマー
（ｃ）成分：（ａ）成分以外の界面活性剤
【請求項２】
（ａ）成分が下記（ａ１）成分及び（ａ２）成分から選ばれる１種以上のノニオン界面活性剤である、請求項１に記載の衣料用ケア組成物。
（ａ１）成分：アミド基及び脂肪族炭化水素基を有するノニオン界面活性剤
（ａ２）成分：糖骨格及び脂肪族炭化水素基を有するノニオン界面活性剤
【請求項３】
（ｂ）成分がノニオン性多糖ポリマーである、請求項１又は２に記載の衣料用ケア剤組成物。
【請求項４】
（ａ）成分と（ｂ）成分の質量比である、（ａ）成分／（ｂ）成分が、０．１以上１０以下である、請求項１〜３の何れかに記載の衣料用ケア組成物。
【請求項５】
（ｃ）成分が、（ｃ１）アニオン界面活性剤、（ｃ２）カチオン界面活性剤及び（ｃ３）両性界面活性剤から選ばれる１種以上の界面活性剤である、請求項１〜４の何れかに記載の衣料用ケア組成物。
【請求項６】
（ｃ１）アニオン界面活性剤が、下記（ｃ１−１）成分、（ｃ１−２）成分、（ｃ１−３）成分、（ｃ１−４）成分、及び（ｃ１−５）成分から選ばれる１種以上のアニオン界面活性剤である、請求項５に記載の衣料用ケア組成物。
（ｃ１−１）成分：アルキル又はアルケニル硫酸エステル塩
（ｃ１−２）成分：炭素数２以上３以下のオキシアルキレン基を有するポリオキシアルキレンアルキル又はアルケニルエーテル硫酸エステル塩
（ｃ１−３）成分：アルキル又はアルケニルベンゼンスルホン酸塩
（ｃ１−４）成分：（ｃ１−３）成分以外のスルホン酸塩
（ｃ１−５）成分：炭素数１２以上２４以下の脂肪酸又はその塩
【請求項７】
（ｃ１）中の、（ｃ１−１）成分、（ｃ１−２）成分及び（ｃ１−４）成分から選ばれる１種以上のアニオン界面活性剤の合計量が５０質量％以上である、請求項６に記載の衣料用ケア組成物。
【請求項８】
（ｃ）成分中の、炭素数１２以上２４以下の脂肪族炭化水素基を２つ又は３つ有するカチオン界面活性剤の含有量が３０質量％以下である、請求項１〜７の何れかに記載の衣料用ケア組成物。
【請求項９】
３０℃におけるｐＨが２．５以上１０以下である、請求項１〜８の何れかに記載の衣料用ケア組成物
【請求項１０】
衣料が木綿繊維を含む衣料である、請求項１〜９の何れかに記載の衣料用ケア組成物。
【発明の詳細な説明】
【技術分野】
【０００１】
本発明は、衣料用ケア組成物に関する。
【背景技術】
【０００２】
衣料用洗浄剤に、衣料の毛羽・毛玉を減少することができるケア化合物としてセルロース誘導体を使用することが知られている。繊維製品の着用などの使用前に予め繊維製品にケア化合物を付着させることで、繊維製品の使用時の毛羽や毛玉の生成を抑制することができる。
特許文献１には、洗剤界面活性剤、有機または無機洗浄性ビルダー及び疎水的に変性された非イオン性セルロースエーテルを含有し、毛玉／毛羽減少、退色防止、改善された耐摩耗性および／または高められた柔軟性から選ばれる布帛外観上の利益を、それから調製された水性洗浄液中で洗濯された布帛および布類に付与する洗濯洗剤組成物が記載されている。特許文献２には、カチオン柔軟剤、非イオン性界面活性剤、任意の増粘剤としてヒドロキシエチルセルロースを含有する洗浄液体洗濯洗剤組成物が記載されている。特許文献３には、アルキルグリコシド、ヒドロキシエチルセルロース等の成分を含有する環境にやさしい洗濯洗剤が記載されている。特許文献４には、ナノ活性炭、アクリル変性水性ポリウレタン、界面活性剤、ヒドロキシエチルセルロースを５〜１０重量％を含有する水を含む環境にやさしい洗浄剤が記載されている。
【先行技術文献】
【特許文献】
【０００３】
【特許文献１】特表２００１−５０７３９６号公報
【特許文献２】中国特許出願公開第１０１８１２３８１号明細書
【特許文献３】中国特許出願公開第１０６３５０２４８号明細書
【特許文献４】中国特許出願公開第１０６４７９６８５号明細書
【発明の概要】
【発明が解決しようとする課題】
【０００４】
本発明は、水中で衣料と衣料又は衣料と他の物体とを接触させ擦っても、摩擦が低減する効果、摩擦が低減することで毛羽が立ちにくい効果といった衣料ケア効果を有する、衣料用ケア組成物を提供する。本発明の衣料用ケア組成物は、例えば、水中で衣料に適用する摩擦低下剤組成物又は水中で衣料に適用する衣料用洗浄剤組成物として用いることができる。
【課題を解決するための手段】
【０００５】
本発明は、下記（ａ）成分、（ｂ）成分及び（ｃ）成分を含有する、衣料用ケア組成物に関する。
（ａ）成分：糖骨格を有するノニオン界面活性剤及びアミド基を有するノニオン界面活性剤から選ばれる１種以上のノニオン界面活性剤
（ｂ）成分：多糖ポリマー
（ｃ）成分：（ａ）成分以外の界面活性剤
【発明の効果】
【０００６】
本発明は、水中で衣料と衣料同士又は衣料と他の物体とを接触させ擦っても、滑りやすくなることで衣料が傷みにくい衣料用ケア組成物を提供する事ができる。本発明の衣料用ケア組成物は、例えば、水中で衣料に適用する摩擦低下剤組成物、水中で衣料に適用する衣料用仕上げ剤組成物又は水中で衣料に適用する衣料用洗浄剤組成物として提供することができる。
【発明を実施するための形態】
【０００７】
本発明の（ｂ）成分には、乾燥状態において物と物とを適度に接着させる糊剤としての作用効果や物の表面を被覆することで、被覆された物体の表面が他の物体と乾燥状態で接触しても損傷が少なくする化合物として知られているものがある。しかしながら、（ｂ）成分が本発明の（ａ）成分と水中で共存することで、（ａ）成分により（ｂ）成分が摩擦低下作用を発現することが明らかとなった。そして、（ａ）成分が水中で（ｂ）成分の摩擦低下作用を高めることで、衣料同士が擦れても毛羽立ちなどの損傷が抑制できることが見出された。本発明において摩擦低下とは、具体的には、例えば平均動摩擦係数の低下として認識される。
【０００８】
＜（ａ）成分＞
（ａ）成分は、糖骨格を有するノニオン界面活性剤及びアミド基を有するノニオン界面活性剤から選ばれる１種以上のノニオン界面活性剤である。（ａ）成分は（ｂ）成分と併用することで、水中での動摩擦係数を低下させ、衣料と衣料同士又は衣料と他の物体が接触してこすれてもすべりやすくなることで、衣料の傷みを抑制することができる。
【０００９】
（ａ）成分は、（ｂ）成分と併用することで水中で動摩擦係数をより低減できる観点から、下記（ａ１）成分及び（ａ２）成分から選ばれる１種以上のノニオン界面活性剤であることが好ましい。
（ａ１）成分：アミド基及び脂肪族炭化水素基を有するノニオン界面活性剤
（ａ２）成分：糖骨格及び脂肪族炭化水素基を有するノニオン界面活性剤
【００１０】
〔（ａ１）成分〕
（ａ１）成分は、脂肪族炭化水素基及びアミド基を有するノニオン界面活性剤である。本発明の効果がより向上する観点から、（ａ１）成分は、下記一般式（Ｉ）で表されるノニオン界面活性剤が好ましい。
【００１１】
【化１】
2020100723.tif 000002
【００１２】
〔式中、Ｒ１は、炭素数７以上２１以下の脂肪族炭化水素基であり、Ｒ２は、水素原子、炭素数１以上３以下の炭化水素基又は−Ｒ３−ＯＨであり、Ｒ３は、炭素数１以上３以下のアルキレン基である。〕
【００１３】
Ｒ１は炭素数７以上２１以下の脂肪族炭化水素基である。（ｂ）成分と併用することで動摩擦係数をより低減できる観点から、Ｒ１は好ましくは炭素数９以上、そして好ましくは炭素数１９以下、より好ましくは１７以下、更に好ましくは１５以下の脂肪族炭化水素基である。脂肪族炭化水素基としては、脂肪族アルキル基及び脂肪族アルケニル基から選ばれる１種以上の基が挙げられる。（ｂ）成分と併用することで動摩擦係数をより低減できる観点から、脂肪族炭化水素基としてはアルキル基が好ましい。
【００１４】
Ｒ２は、水素原子、炭素数１以上３以下の炭化水素基、又は−Ｒ３−ＯＨである。炭素数１以上３以下の炭化水素基としては、メチル基、エチル基、プロピル基が挙げられる。（ｂ）成分と併用することで動摩擦係数をより低減できる観点から、Ｒ２は、水素原子及びヒドロキシエチル基から選ばれる１種以上の基が好ましく、水素原子がより好ましい。
【００１５】
Ｒ３は、炭素数１以上３以下のアルキレン基である、炭素数１以上３以下のアルキレン基としては、メチレン基、エチレン器、１，３−プロピレン基、及び１，２−プロピレン基から選ばれる１種以上の基が挙げられる。（ｂ）成分と併用することで動摩擦係数をより低減できる観点から、Ｒ３はエチレン基が好ましい。
【００１６】
〔（ａ２）成分〕
（ａ２）成分は、糖骨格及び脂肪族炭化水素基を有するノニオン界面活性剤である。
本発明で用いる（ａ２）成分は、（ｂ）成分と併用することで動摩擦係数をより低減できる観点から、炭素数が好ましくは８以上、より好ましくは１０以上、そして、好ましくは１８以下、より好ましくは１６以下の直鎖又は分岐鎖のアルキル基、好ましくは直鎖のアルキル基を有し、糖の平均縮合度が好ましくは１以上、そして、好ましくは３以下、より好ましくは２以下、更に好ましくは１．５以下のアルキルグリコシドである。
【００１７】
（ａ２）成分としては、下記一般式（II）で表される化合物が好適である。
Ｒ１ａ（ＯＲ２ａ）ｘＧｙ                  （II）
〔式中、Ｒ１ａは炭素数８以上１８以下の直鎖又は分岐鎖のアルキル基を示し、Ｒ２ａは炭素数２以上４以下のアルキレン基を示し、Ｇは炭素数５又は６の糖に由来する残基を示し、ｘはその平均値が０以上５以下となる数を示し、ｙはその平均値が１以上３以下となる数を示す。〕
【００１８】
上記一般式（II）において、Ｒ１ａは、（ｂ）成分と併用することで動摩擦係数をより低減できる観点から、炭素数８以上、好ましくは１０以上、そして、１８以下、好ましくは１６以下、より好ましくは１４以下、更に好ましくは１２以下、より更に好ましくは１１以下の直鎖又は分岐鎖のアルキル基、好ましくは直鎖のアルキル基である。また、Ｒ２ａで示されるアルキレン基としては、（ｂ）成分と併用することで動摩擦係数をより低減できる観点から、炭素数２のものが好ましい。また、Ｇで示される炭素数５又は６の糖に由来する残基は、使用される単糖類もしくは２糖類以上の糖によってその構造が決定される。Ｇとしては、単糖類ではグルコース、ガラクトース、キシロース、マンノース、リキソース、アラビノース、フルクトース又はこれらの混合物等に由来する残基が挙げられ、２糖類以上ではマルトース、キシロビオース、イソマルトース、セロビオース、ゲンチビオース、ラクトース、スクロース、ニゲロース、ツラノース、ラフィノース、ゲンチアノース、メンジトース又はこれらの混合物等に由来する残基が挙げられる。これらのうち好ましい原料は、（ｂ）成分と併用することで動摩擦係数をより低減できる観点から、単糖類ではグルコース及びフルクトースであり、２糖類以上ではマルトース及びスクロースである。
【００１９】
また、上記一般式（II）中のｘは、ＯＲ２ａの平均付加モル数であり、好ましくは０以上、そして、好ましくは５以下、より好ましくは３以下、更に好ましくは１以下であり、また０であってもよく、０が最も好適である。このｘの値により（ｂ）成分による動摩擦低減作用を制御することができる。（ｂ）成分による動摩擦低減作用をより高める観点から、ｘが小さいほど好ましい。
【００２０】
また上記一般式（II）中のｙの平均値が１より大きい場合、つまり（ａ）成分が２糖類以上の糖鎖を親水性基とする場合、糖鎖の結合様式が１−２、１−３、１−４、１−６結合又はα−、β−ピラノシド結合もしくはフラノシド結合及びこれらの混合された結合様式である任意の混合物を含むことが可能である。
【００２１】
上記一般式（II）中のｙは、その平均値が、１以上、そして、３以下、好ましくは２以下、より好ましくは１．５以下である。このｙの値（糖の平均縮合度）は１Ｈ−ＮＭＲにより測定する。具体的な測定方法としては、特開平８−５３６９６号公報第６頁第１０欄２６行目〜７頁第１１欄１５行目を参照する。
【００２２】
＜（ｂ）成分＞
本発明の（ｂ）成分は多糖ポリマーである。多糖ポリマーは、多糖類及びその誘導体であり、誘導体は、多糖類に炭素数１以上２０以下の脂肪族炭化水素基、カチオン性基、アニオン性基、及び炭素数２又は３のヒドロキシアルキル基から選ばれる１種以上の基を導入した化合物が挙げられる。従って、多糖ポリマーとして、炭素数１以上２０以下の脂肪族炭化水素基、カチオン性基、アニオン性基、及び炭素数２又は３のヒドロキシアルキル基から選ばれる基を有していてもよい多糖ポリマーが挙げられる。すなわち、（ｂ）成分としては、イオン性多糖ポリマーとノニオン性多糖ポリマーが挙げられるが、ノニオン性多糖ポリマーが好ましい。
【００２３】
本発明の好ましい（ｂ）成分はヒドロキシプロピルセルロース及びヒドロキシエチルセルロースから選ばれる１種以上の多糖ポリマーである。なかでもヒドロキシエチルセルロースは、（ａ）成分のノニオン界面活性剤と水と共に用いることで、衣料同士又は衣料と他の接触体との間の摩擦を低減し、衣料の傷みをより抑制することができる。好ましいヒドロキシエチルセルロースとしては、衣料同士又は衣料と他の接触体との間の摩擦を低減し、衣料の傷みを抑制する観点から、２質量％水溶液（２０℃）の粘度が５０ｍＰａ以上５０万ｍＰａ以下であることが好ましく、より好ましくは２００ｍＰａ以上であり、更に好ましくは５００ｍＰａ・ｓ以上であり、そして好ましくは１０万ｍＰａ・ｓ以下であり、更に好ましくは５万ｍＰａ・ｓ以下であり、より好ましくは２ｍＰａ・ｓ以下であり、より更に好ましくは１万ｍＰａ・ｓ以下である。ヒドロキシエチルセルロースの粘度は以下の測定方法で測定することができる。
【００２４】
〔多糖ポリマーの粘度の測定方法〕
多糖ポリマー１０ｇをイオン交換水４９０ｇに溶解し、２重量％多糖ポリマー水溶液を調製する。当該水溶液の温度を２０±０．５℃の温度範囲に調整し、１時間静置する。ブルックフィールド型回転粘度計〔東機産業（株）製、品番：ＢＭ型〕を用いて、３０ｒ／ｍ（Ｎｏ．４ローター）の条件で測定する。粘度は測定開始から１分後の値を読み取る。粘度が１０００ｍＰａ・ｓを下回る場合は、Ｎｏ．３ローターを用い、粘度が１８０００ｍＰａ・ｓを超える場合は、回転数を１２ｒ／ｍに設定して測定する。
【００２５】
本発明の（ｂ）成分の重量平均分子量は、多糖類誘導体の場合は多糖類換算で、洗浄性能を向上させる観点から、好ましくは１，０００以上、より好ましくは１万以上、更に好ましくは３万以上、より更に好ましくは５万以上、より更に好ましくは７万以上、より更に好ましくは１０万以上、より更に好ましくは３０万以上であり、そして、取扱いの容易性の観点から、好ましくは３００万以下、より好ましくは２５０万以下である。この前駆化合物の多糖誘導体の重量平均分子量は、ＧＰＣ（ゲル浸透クロマトグラフィー）によるポリエチレングリコール換算により算出することができる。
【００２６】
＜（ｃ）成分＞
（ｃ）成分は（ａ）成分以外の界面活性剤である。（ｃ）成分はイオン性界面活性剤を含む界面活性剤が好ましい。本発明の（ａ）成分は、水中で（ｂ）成分に摩擦低下作用を発現させ、毛羽立ちを抑制する作用を有する。
イオン性界面活性剤としては、（ｃ１）アニオン界面活性剤〔以下、（ｃ１）成分という場合もある〕、（ｃ２）カチオン界面活性剤〔以下、（ｃ２）成分という場合もある〕及び（ｃ３）両性界面活性剤〔以下、（ｃ３）成分という場合もある〕から選ばれる１種以上の界面活性剤が挙げられる。
また、（ｃ）成分中に含まれるイオン性界面活性剤以外の界面活性剤として（ｃ４）（ａ）成分以外のノニオン界面活性剤〔以下、（ｃ４）成分という場合もある〕が挙げられる。
【００２７】
＜（ｃ１）アニオン界面活性剤＞
水中で（ｂ）成分に摩擦低下作用を発現させ、毛羽立ちを抑制できる観点から、好ましい（ｃ１）成分のアニオン界面活性剤は、スルホン酸塩及び硫酸エステル塩から選ばれる基を有するアニオン界面活性剤である。
【００２８】
（ｃ１）成分のアニオン界面活性剤の具体例としては、下記（ｃ１−１）成分、（ｃ１−２）成分、（ｃ１−３）成分、（ｃ１−４）成分、及び（ｃ１−５）成分から選ばれる１種以上のアニオン界面活性剤が挙げられる。本発明の衣料用ケア組成物がアニオン界面活性剤を含む場合には、水中で（ｂ）成分に摩擦低下作用を発現させ、毛羽立ちを抑制できる観点から、アニオン界面活性剤は、下記（ｃ１−２）成分及び（ｃ１−３）成分から選ばれる１種以上のアニオン界面活性剤を含むことが好ましい。
（ｃ１−１）成分：アルキル又はアルケニル硫酸エステル塩
（ｃ１−２）成分：炭素数２以上３以下のオキシアルキレン基を有するポリオキシアルキレンアルキル又はアルケニルエーテル硫酸エステル塩
（ｃ１−３）成分：アルキル又はアルケニルベンゼンスルホン酸塩
（ｃ１−４）成分：（ｃ１−３）成分以外のスルホン酸塩
（ｃ１−５）成分：炭素数１２以上２４以下の脂肪酸又はその塩
【００２９】
（ｃ１−１）成分である、アルキル又はアルケニル硫酸エステル塩として、より具体的には、アルキル基の炭素数が１０以上１８以下のアルキル硫酸エステル塩、及びアルケニル基の炭素数が１０以上１８以下のアルケニル硫酸エステル塩から選ばれる１種以上のアニオン界面活性剤が挙げられる。
【００３０】
（ｃ１−２）成分である、炭素数２以上３以下のオキシアルキレン基を有するポリオキシアルキレンアルキル又はアルケニルエーテル硫酸エステル塩として、より具体的には、アルキル基の炭素数が１０以上１８以下、及びアルキレンオキシド平均付加モル数が１以上３以下のポリオキシアルキレンアルキルエーテル硫酸エステル塩、及びアルケニル基の炭素数が１０以上１８以下、及びアルキレンオキシド平均付加モル数が１以上３以下のポリオキシアルキレンアルケニルエーテル硫酸エステル塩から選ばれる１種以上のアニオン界面活性剤が挙げられる。なお、ここでの付加モル数は平均値であることから、（ｃ１−２）成分は、平均付加モル数が１の場合も、便宜的にポリオキシアルキレンと表記する。オキシアルキレン基としては炭素数２以上３以下のオキシアルキレン基が挙げられる。炭素数２以上３以下のオキシアルキレン基としては、オキシプロピレン基及びオキシエチレン基から選ばれる１種以上の基が挙げられる。
【００３１】
（ｃ１−３）成分である、アルキルベンゼンスルホン酸塩として、より具体的には、アルキル基の炭素数が１０以上１８以下のアルキルベンゼンスルホン酸塩、アルケニル基の炭素数が１０以上１８以下のアルケニルベンゼンスルホン酸塩から選ばれる１種以上のアニオン界面活性剤が挙げられる。
【００３２】
水中で（ｂ）成分に摩擦低下作用を発現させ、毛羽立ちを抑制できる観点から、（ｃ１−３）成分は、アルキル基の炭素数が１１以上１４以下のアルキルベンゼンスルホン酸塩が好ましく、アルキル基の炭素数が１１以上１４以下のアルキルベンゼンスルホン酸ナトリウムがより好ましい。
【００３３】
（ｃ１−４）成分である、（ｃ１−３）成分以外のスルホン酸塩として、より具体的には、任意に水酸基を有していてもよい炭素数が１０以上１８以下のアルキル基を有するアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩から選ばれる１種以上のアニオン界面活性剤が挙げられる。
【００３４】
（ｃ１−５）成分は炭素数１２以上２４以下の脂肪酸又はその塩である。炭素数１２以上２４以下の脂肪酸又はその塩は、炭素数１１以上２３以下の脂肪族炭化水素基を疎水基とし、カルボン酸又はその塩を親水基として有するアニオン界面活性剤である。（ｃ１−５）成分としてより具体的には、ラウリン酸、ミリスチン酸、パルミチン酸、パルミトレイン酸、ステアリン酸、オレイン酸、エライジン酸、リノール酸、リノレン酸、及びこれらの塩が挙げられる。
【００３５】
（ｃ１）成分であるアニオン界面活性剤の塩としては、アルカリ金属及び炭素数２以上６以下のアルカノールアミンから選ばれる１種以上の化合物の塩が挙げられる。アルカリ金属としては、ナトリウム及びカリウムから選ばれる１種以上の化合物が好ましい。炭素数２以上６以下のアルカノールアミンとしては、モノエタノールアミン、ジエタノールアミン、トリエタノールアミン、Ｎ−メチルモノエタノールアミン、Ｎ−メチルジエタノールアミン及びＮ，Ｎ−ジメチルモノエタノールアミンから選ばれる１種以上の化合物が好ましい。
【００３６】
本発明の（ｃ１）成分は、水中で（ｂ）成分に摩擦低下作用を発現させ、毛羽立ちを抑制できる観点から、（ｃ１−１）成分、（ｃ１−２）成分及び（ｃ１−４）成分から選ばれる１種以上のアニオン界面活性剤を含むことが好ましい。本発明の（ｃ１）成分は、水中で（ｂ）成分に摩擦低下作用を発現させ、毛羽立ちを抑制できる観点から、（ｃ１）成分中の、（ｃ１−１）成分、（ｃ１−２）成分及び（ｃ１−４）成分から選ばれる１種以上のアニオン界面活性剤の合計量が５０質量％以上であることが好ましく、６０質量％以上がより好ましく、７０質量％以上が更に好ましく、８０質量％以上がより更に好ましく、９０質量％以上がより更に好ましく、１００質量％以下がより更に好ましい。（ｃ１）成分の全てが（ｃ１−１）成分、（ｃ１−２）成分及び（ｃ１−４）成分から選ばれる１種以上のアニオン界面活性剤であってもよい。すなわち、（ｃ１）成分中の、（ｃ１−１）成分、（ｃ１−２）成分及び（ｃ１−４）成分から選ばれる１種以上のアニオン界面活性剤の合計量が１００質量％であってもよい。
【００３７】
＜（ｃ２）カチオン界面活性剤＞
（ｃ２）成分はカチオン界面活性剤である。
（ｃ２）成分のカチオン界面活性剤としては、特に限定されるものではないが、炭素数８以上２２以下の脂肪族炭化水素基を１つ以上３つ以下含有するカチオン界面活性剤が挙げられる。より具体的には、例えば下記一般式（ｃ２−１）で表される第４級アンモニウム化合物が挙げられる。
【００３８】
【化２】
2020100723.tif 000003
【００３９】
〔式中、Ｒ１ｃは、炭素数８以上２４以下の脂肪族炭化水素基であり、Ｒ２ｃ及びＲ３ｃは、それぞれ独立に、炭素数８以上２４以下の脂肪族炭化水素基、炭素数１以上３以下のアルキル基、炭素数１以上３以下のヒドロキシアルキル基及びベンジル基から選ばれる基であり、Ｒ４ｃは、炭素数１以上３以下のアルキル基、炭素数１以上３以下のヒドロキシアルキル基及びベンジル基から選ばれる基であり、Ｘ−は陰イオンである。〕
【００４０】
一般式（ｃ２−１）中、Ｒ１ｃ及び場合によりＲ２ｃ、Ｒ３ｃは、炭素数８以上２４以下の脂肪族炭化水素基である。水中で（ｂ）成分に摩擦低下作用を発現させ、毛羽立ちを抑制できる観点から、それらの基の炭素数は８以上、好ましくは１０以上、そして、２４以下、好ましくは２２以下、更に好ましくは２０以下、より好ましくは１８以下、より更に好ましくは１６以下である。Ｒ２ｃ、Ｒ３ｃ、Ｒ４ｃのうち、炭素数１以上３以下のアルキル基の具体例としては、メチル基、エチル基、プロピル基が挙げられる。Ｒ２ｃ、Ｒ３ｃ、Ｒ４ｃのうち、炭素数１以上３以下のヒドロキシアルキル基としては、２−ヒドロキシエチル基、２−ヒドロキシプロピル基、３−ヒドロキシプロピル基が挙げられる。Ｘ−は陰イオンであり、ハロゲンイオン、炭素数１以上３以下のアルキル硫酸イオンが挙げられる。ハロゲンイオンとしては、クロルイオン、ブロモイオン、ヨウ素イオンが挙げられる。炭素数１以上３以下のアルキル硫酸イオンとしては、メチル硫酸イオン、エチル硫酸イオンが挙げられる。
【００４１】
本発明の衣料用ケア組成物は、衣料の本来の肌触りを維持できる観点から、（ｃ）成分中の、炭素数１２以上２４以下の脂肪族炭化水素基を２つ又は３つ有するカチオン界面活性剤の含有量は、好ましくは３０質量％以下であり、より好ましくは２０質量％以下であり、更に好ましくは１５質量％以下であり、より更に好ましくは１０質量％以下であり、より更に好ましくは５質量％以下である。この含有量の下限値は０質量％以上とすることができる。（ｃ）成分中の、炭素数１２以上２４以下の脂肪族炭化水素基を２つ又は３つ有するカチオン界面活性剤の含有量は、０質量％であってもよい。
【００４２】
＜（ｃ３）両性界面活性剤＞
（ｃ３）成分の両性界面活性剤としては、アミンオキシド及びベタインから選ばれる１種以上の両性界面活性剤が挙げられる。アミンオキシドそのものはイオンを有しないが、水中で分極してδ＋及びδ−となりえることから本発明においてはイオン性界面活性剤に分類する。アミンオキシドとしては、炭素数７以上１８以下の脂肪族炭化水素基を有するアミンオキシドが好ましい。具体的には、下記一般式（ｃ３−１）で表される化合物が挙げられる。
【００４３】
【化３】
2020100723.tif 000004
【００４４】
〔式中、Ｒ５ｃは、ｋが０の場合又はｋが１でＸが−Ｏ（ＣＯ）−、−（ＮＨ）（ＣＯ）−から選ばれる基である場合は、炭素数８以上１８以下の脂肪族炭化水素基であり、ｋが１でＸが−（ＣＯ）Ｏ−、−（ＣＯ）（ＮＨ）−から選ばれる基である場合は、炭素数７以上１７以下の脂肪族炭化水素基であり、Ｒ６ｃは炭素数１以上６以下のアルキレン基であり、Ｘは−（ＣＯ）Ｏ−、−（ＣＯ）（ＮＨ）−、−Ｏ（ＣＯ）−、−（ＮＨ）（ＣＯ）−から選ばれる基である。ｋは０又は１の数であり、Ｒ７ｃ、Ｒ８ｃは、それぞれ炭素数１以上３以下のアルキル基又はヒドロキシアルキル基である。〕
【００４５】
一般式（ｃ３−１）において、Ｒ５ｃは、ｋが０の場合又はｋが１でＸが−Ｏ（ＣＯ）−、−（ＮＨ）（ＣＯ）−から選ばれる基の場合は、炭素数８以上１６以下の脂肪族炭化水素基が挙げられ、水中で（ｂ）成分に摩擦低下作用を発現させ、毛羽立ちを抑制できる観点から、炭素数１０以上１６以下の脂肪族炭化水素基がより好ましく、炭素数１０以上１４以下のアルキル基又はアルケニル基が更に好ましく、炭素数１２以上１４以下のアルキル基又はアルケニル基が好ましい。
【００４６】
また、一般式（ｃ３−１）において、Ｒ５ｃは、ｋが１でＸが−（ＣＯ）Ｏ−、−（ＣＯ）（ＮＨ）−から選ばれる基である場合は、炭素数７以上１７以下の脂肪族炭化水素基が挙げられる。水中で（ｂ）成分に摩擦低下作用を発現させ、毛羽立ちを抑制できる観点から、炭素数７以上１５以下の脂肪族炭化水素基が好ましく、炭素数９以上１５以下の脂肪族炭化水素基がより好ましく、炭素数９以上１３以下のアルキル基又はアルケニル基が更に好ましく、炭素数１１以上１３以下のアルキル基又はアルケニル基が更に好ましい。
一般式（ｃ３−１）において、Ｘは、−（ＣＯ）Ｏ−又は−（ＣＯ）（ＮＨ）−が好ましい。
Ｒ６ｃの炭素数は、好ましくは２又は３である。Ｒ７ｃ、Ｒ８ｃは、好ましくはメチル基である。
【００４７】
アミンオキシドのより好ましい具体的な化合物としては、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、Ｎ−パルミトイルアミノプロピル−Ｎ，Ｎ−ジメチルアミンオキシド、Ｎ−ラウリル−Ｎ−エチル−Ｎ−メチルアミンオキシド、Ｎ−ラウリル−Ｎ−メチル−Ｎ−（２−ヒドロキシエチル）アミンオキシド、Ｎ−ミリスチル−Ｎ−エチル−Ｎ−メチルアミンオキシド、Ｎ−ミリスチル−Ｎ−メチル−Ｎ−（２−ヒドロキシエチル）アミンオキシド、Ｎ−パルミチル−Ｎ−エチル−Ｎ−メチルアミンオキシド、Ｎ−パルミチル−Ｎ−メチル−Ｎ−（２−ヒドロキシエチル）アミンオキシド、Ｎ−ラウロイルアミノプロピル−Ｎ−エチル−Ｎ−メチルアミンオキシド、Ｎ−ラウロイルアミノプロピル−Ｎ−メチル−Ｎ−（２−ヒドロキシエチル）アミンオキシド、Ｎ−ミリストイルアミノプロピル−Ｎ−エチル−Ｎ−メチルアミンオキシド、Ｎ−ミリストイルアミノプロピル−Ｎ−メチル−Ｎ−（２−ヒドロキシエチル）アミンオキシド、Ｎ−パルミトイルアミノプロピル−Ｎ−エチル−Ｎ−メチルアミンオキシド及びＮ−パルミトイルアミノプロピル−Ｎ−メチル−Ｎ−（２−ヒドロキシエチル）アミンオキシドから選ばれる１種以上の化合物が挙げられる。
【００４８】
アミンオキシドの更に好ましい具体的な化合物としては、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、及びＮ−パルミトイルアミノプロピル−Ｎ，Ｎ−ジメチルアミンオキシドから選ばれる１種以上の化合物が挙げられる。
【００４９】
ベタインとしては、炭素数７以上１８の炭化水素基を有するベタインが好ましい。具体的には、下記一般式（ｃ３−２）で表される化合物が挙げられる。
【００５０】
【化４】
2020100723.tif 000005
【００５１】
〔式中、Ｒ９ｃは、ｊが０の場合又はｊが１でＹが−Ｏ（ＣＯ）−、−（ＮＨ）（ＣＯ）−から選ばれる基である場合は、炭素数８以上１８以下の脂肪族炭化水素基であり、ｊが１でＹが−（ＣＯ）Ｏ−、−（ＣＯ）（ＮＨ）−から選ばれる基である場合は、炭素数７以上１７以下の脂肪族炭化水素基である。Ｒ１０ｃは炭素数１以上６以下のアルキレン基である。Ｙは−（ＣＯ）Ｏ−、−（ＣＯ）（ＮＨ）−、−Ｏ（ＣＯ）−、−（ＮＨ）（ＣＯ）−、−Ｏ−から選ばれる基であり、ｊは０又は１の数である。Ｒ１１ｃ、Ｒ１２ｃは、それぞれ炭素数１以上３以下のアルキル基又はヒドロキシアルキル基であり、Ｒ１３ｃはヒドロキシ基で置換していてもよい炭素数１以上５以下のアルキレン基である。Ｚは−ＳＯ３−、−ＯＳＯ３−、−ＣＯＯ−から選ばれる基である。〕
【００５２】
一般式（ａ３−２）において、Ｒ９ｃは、ｊが０の場合、又はｊが１でＹが−Ｏ（ＣＯ）−、−（ＮＨ）（ＣＯ）−から選ばれる基の場合は、炭素数８以上１６以下の脂肪族炭化水素基が挙げられ、水中で（ｂ）成分に摩擦低下作用を発現させ、毛羽立ちを抑制できる観点から、１０以上１６以下の脂肪族炭化水素基がより好ましく、炭素数１０以上１４以下のアルキル基又はアルケニル基が更に好ましい。
【００５３】
また、一般式（ｃ３−２）において、Ｒ９ｃは、ｊが１でＹが−（ＣＯ）Ｏ−、−（ＣＯ）（ＮＨ）−から選ばれる基である場合は、炭素数７以上１７以下の脂肪族炭化水素基であり、水中で（ｂ）成分に摩擦低下作用を発現させ、毛羽立ちを抑制できる観点から、炭素数７以上１５以下の脂肪族炭化水素基が好ましく、炭素数９以上１５以下の脂肪族炭化水素基がより好ましく、炭素数９以上１３以下のアルキル基又はアルケニル基が更に好ましい。
【００５４】
一般式（ｃ３−２）において、Ｒ１０ｃは、製造の容易性の点で炭素数１以上４以下のアルキレン基であり、より好ましくは２又は３のアルキレン基である。また、Ｒ１１ｃ、Ｒ１２ｃは、好ましくはメチル基、エチル基又はヒドロキシエチル基である。Ｒ１３ｃはヒドロキシ基が置換していてもよい炭素数１以上３以下のアルキレン基が好ましい。
また、一般式（ｃ３−２）において、ｊは、好ましくは０である。
また、一般式（ｃ３−２）において、Ｚは、水中で（ｂ）成分に摩擦低下作用を発現させ、毛羽立ちを抑制できる観点から、好ましくは−ＳＯ３−である。
【００５５】
ベタインのより好ましい具体的な化合物としては、ラウリル（２−ヒドロキシ−３−スルホプロピル）ジメチルベタイン、ミリスチル（２−ヒドロキシ−３−スルホプロピル）ジメチルベタイン、及びパルミチル（２−ヒドロキシ−３−スルホプロピル）ジメチルベタインから選ばれる１種以上の化合物が挙げられる。
【００５６】
＜（ｃ４）ノニオン界面活性剤（但し、（ａ）成分を除く）＞
本発明の衣料用ケア組成物は、本発明の摩擦低下作用又は衣料ケア効果を妨げない範囲で、（ｃ４）成分として、（ａ）成分以外のノニオン界面活性剤を含むことができる。（ｃ４）成分のノニオン界面活性剤としては、特に限定されるものではないが、本発明の摩擦低下作用又は衣料ケア効果を妨げない観点から、ポリオキシアルキレンアルキルエーテル型ノニオン界面活性剤が好ましく、更に好ましくは、炭素数２以上３以下のオキシアルキレン基を有するポリオキシアルキレンアルキルエーテル型ノニオン界面活性剤である。（ｃ４）成分のノニオン界面活性剤としては、具体的には、下記一般式（ｃ４−１）の化合物が挙げられる。
Ｒ１４ｃ−Ｏ［（ＥＯ）ａ／（ＰＯ）ｂ］−Ｈ        （ｃ４−１）
〔式中、Ｒ１４ｃは炭素数１０以上、好ましくは１２以上、そして、１８以下、好ましくは１６以下、より好ましくは１４以下のアルキル基又はアルケニル基を示す。ＥＯはエチレンオキシ基、ＰＯはプロピレンオキシ基である。ａはＥＯ基の数平均付加モル数であり、ｂはＰＯ基の数平均付加モル数である。ａとｂの合計の数は、好ましくは５以上１００以下の数である。ａは５以上１００以下の数が好ましく、ｂは０以上１０以下の数が好ましい。但し、ａ及びｂの両者が０の場合を除く。〕
一般式（ｃ４−１）中、ＥＯとＰＯはランダム結合でもブロック結合でも、いずれでもよい。一般式（ｃ４−１）のノニオン界面活性剤は、ＥＯを含むことが好ましい。
【００５７】
本発明の（ｃ）成分中の（ｃ４）成分の含有量は、本発明の摩擦低下作用又は衣料ケア効果を妨げない観点から、好ましくは５０質量％以下であり、更に好ましくは４０質量％以下であり、より好ましくは３０質量％以下であり、より更に好ましくは２０質量％以下である。
【００５８】
＜水＞
本発明の衣料用ケア組成物は、水を含有することが好ましく、水を含有する液体組成物であることがより好ましい。本発明の衣料用ケア組成物に用いる水としては、イオン交換水、蒸留水、次亜塩素酸ナトリウムなどの次亜塩素酸塩を０．１ｍｇ／ｋｇ以上１０ｍｇ／ｋｇ以下含有する水を用いることができる。
【００５９】
＜衣料＞
本発明において衣料とは、前記の化学繊維や天然繊維を用いた織物、編物、不織布等の布帛及びそれを用いて得られたアンダーシャツ、Ｔシャツ、ワイシャツ、ブラウス、スラックス、帽子、ハンカチ、タオル、ニット、靴下、下着、タイツ等の製品を意味する。衣料は、木綿繊維を含む衣料が好ましい。
【００６０】
＜繊維＞
本発明の衣料用ケア組成物の対象となる衣料を構成する繊維は、化学繊維、天然繊維のいずれでもよい。化学繊維としては、例えば、ポリアミド系繊維（ナイロンなど）、ポリエステル系繊維（ポリエステルなど）、ポリアクリロニトリル系繊維（アクリルなど）、ポリビニルアルコール系繊維（ビニロンなど）、ポリ塩化ビニル系繊維（ポリ塩化ビニルなど）、ポリ塩化ビニリデン系繊維（ビニリデンなど）、ポリオレフィン系繊維（ポリエチレン、ポリプロピレンなど）、ポリウレタン系繊維（ポリウレタンなど）、ポリ塩化ビニル／ポリビニルアルコール共重合系繊維（ポリクレラールなど）などが挙げられる。天然繊維としては、種子毛繊維（綿、もめん、カポックなど）、靭皮繊維（麻、亜麻、苧麻、大麻、黄麻など）、葉脈繊維（マニラ麻、サイザル麻など）、やし繊維、いぐさ、わら、獣毛繊維（羊毛、モヘア、カシミヤ、らくだ毛、アルパカ、ビキュナ、アンゴラなど）、絹繊維（家蚕絹、野蚕絹）、羽毛、セルロース系繊維（レーヨン、ポリノジック、キュプラ、アセテートなど）等が挙げられる。本発明の対象となる繊維は、天然繊維を含む、更に木綿繊維を含むことが好ましい。
【００６１】
＜衣料用ケア組成物＞
本発明の衣料用ケア剤組成物は、水中で、衣料と衣料同士又は衣料と他の物体とが接触する時の摩擦係数を低減することで、衣料の損傷を抑制、例えば衣料の毛玉を抑制する作用を有する組成物を意味する。また、衣料用ケア組成物の作用として、着用中に付着した汚れを含む衣料と、本発明の衣料用ケア組成物と新たに添加された水を含む液とを接触することで、衣料に付着した汚れを低減する作用を有していてもよい。例えば、本発明の衣料用ケア組成物を衣料のケア効果を有する衣料用洗浄剤組成物として使用することが出来る。また、本発明の衣料用ケア組成物を、水中で衣料に適用し、衣料と衣料同士又は衣料と他の物体とを接触する時の摩擦係数を低下する摩擦低下剤組成物として使用することができる。
【００６２】
＜組成等＞
本発明の衣料用ケア剤組成物中の（ａ）成分の含有量は、（ｂ）成分に水中での衣料と衣料同士又は衣料と他の物体との間の摩擦低下作用を発現させることで、衣料の損傷を抑制し、例えば衣料に毛玉が発生することを抑制できる観点で、好ましくは０．３質量％以上であり、より好ましくは０．５質量％以上であり、更に好ましくは０．７質量％以上であり、そして、同じ観点から、好ましくは７質量％以下であり、より好ましくは５質量％以下であり、更に好ましくは４質量％以下であり、より更に好ましくは３質量％以下であり、より更に好ましくは２質量％以下である。
【００６３】
本発明の衣料用ケア組成物中の（ｂ）成分の含有量は、水中での衣料と衣料との間又は衣料と他の物体との間の摩擦低下作用を発現させることで、衣料の損傷を抑制し、例えば衣料に毛玉が発生することを抑制できる観点で、好ましくは０．１質量％以上であり、より好ましくは０．３質量％以上であり、更に好ましくは０．５質量％以上であり、より更に好ましくは０．７質量％以上であり、より更に好ましくは１質量％以上であり、そして、本発明の衣料用ケア組成物の粘度が高くなりすぎない観点から、好ましくは５質量％未満であり、より好ましくは４質量％以下であり、更に好ましくは３質量％以下であり、より更に好ましくは２．５質量％以下であり、より更に好ましくは２質量％以下である。また、水中での衣料と衣料との間又は衣料と他の物体との間の摩擦低下作用を発現させることで、衣料の損傷を抑制し、例えば衣料に毛玉が発生することを抑制できるが、摩擦が低下しすぎることで逆に毛玉が増える可能性があるため、その観点から、（ｂ）成分の含有量の上限値は好ましくは５質量％未満であり、より好ましくは４質量％以下であり、更に好ましくは３質量％以下である。
【００６４】
本発明の衣料用ケア組成物中の（ｂ）成分に水中での摩擦低下効果を発現させ、更に摩擦低下効果をより高める観点から、本発明の衣料用ケア組成物中の（ｂ）成分の含有量に対する（ａ）成分の含有量の質量比である、（ａ）成分／（ｂ）成分は、好ましくは０．１以上であり、より好ましくは０．３以上であり、更に好ましくは０．５以上であり、より更に好ましくは０．７以上であり、より更に好ましくは１以上であり、そして、同じ観点から、好ましくは１０以下であり、より好ましくは７以下であり、より好ましくは５以下であり、更に好ましくは４以下であり、より更に好ましくは３以下であり、より更に好ましくは２以下であり、より更に好ましくは１．５以下である。
【００６５】
本発明の衣料用ケア剤組成物中の（ｃ）成分の含有量は、（ｂ）成分に水中での衣料と衣料同士又は衣料と他の物体との間の摩擦低下作用を発現させることで、衣料の損傷を抑制し、例えば衣料に毛玉が発生することを抑制できる観点で、好ましくは４質量％以上であり、より好ましくは５質量％以上であり、更に好ましくは７質量％以上であり、より更に好ましくは１０質量％以上であり、そして、（ｂ）成分を含む本発明の衣料用ケア組成物の安定性を高める観点から、好ましくは３０質量％以下であり、より好ましくは２５質量％以下であり、更に好ましくは２０質量％以下であり、より更に好ましくは１７質量％以下である。
【００６６】
本発明の衣料用ケア組成物中の（ｂ）成分に水中での摩擦低下効果を発現させ、更に摩擦低下効果をより高める観点から、本発明の衣料用ケア組成物中の（ａ）成分の含有量に対する（ｃ）成分の含有量の質量比である、（ｃ）成分／（ａ）成分は、好ましくは１以上であり、より好ましくは２以上であり、更に好ましくは２．５以上であり、より更に好ましくは４以上であり、そして、同じ観点から、好ましくは３０以下であり、より好ましくは２５以下であり、更に好ましくは２０以下であり、より更に好ましくは１８以下であり、より更に好ましくは１５以下である。
【００６７】
本発明の衣料用ケア組成物の３０℃におけるｐＨは、衣料に発生する毛玉をより抑制できる観点から、好ましくは１０以下であり、より好ましくは９以下であり、更に好ましくは８．５以下であり、より更に好ましくは８以下であり、より更に好ましくは７．５以下であり、より更に好ましくは７以下であり、より更に好ましくは６．５以下であり、そして、同じ観点から、好ましくは２．５以上であり、より好ましくは３以上である。当該ｐＨは、以下の方法で測定することができる。
【００６８】
〔ｐＨの測定法〕
ｐＨメーター（ＨＯＲＩＢＡ製 ｐＨ／イオンメーター  Ｆ−２３）にｐＨ測定用複合電極（ＨＯＲＩＢＡ製  ガラス摺り合わせスリーブ型）を接続し、電源を投入する。ｐＨ電極内部液としては、飽和塩化カリウム水溶液（３．３３モル／Ｌ）を使用する。次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍＬビーカーに充填し、３０℃の恒温槽に３０分間浸漬する。恒温に調整された標準液にｐＨ測定用電極を３分間浸し、ｐＨ６．８６→ｐＨ９．１８→ｐＨ４．０１の順に校正操作を行う。測定対象となるサンプルを３０℃に調整し、前記のｐＨメーターの電極をサンプルに浸漬し、１分後のｐＨを測定する。
【００６９】
本発明の衣料用ケア組成物の３０℃における粘度は、当該衣料用ケア組成物を使用しやすい観点から、好ましくは５０ｍＰａ・ｓ以上であり、より好ましくは１００ｍＰａ・ｓ以上であり、そして、好ましくは１０万ｍＰａ・ｓ以下であり、より好ましくは５万ｍＰａ・ｓ以下であり、更に好ましくは５０００ｍＰａ・ｓ以下である。
【００７０】
この他に、本発明の衣料用ケア組成物には、下記（ｄ１）〜（ｄ７）成分を配合してもよい。
（ｄ１）ポリアクリル酸、ポリマレイン酸、カルボキシメチルセルロースなどの再汚染防止剤及び分散剤を組成物中０．０１質量％以上１０質量％以下。
（ｄ２）過酸化水素、過炭酸ナトリウム又は過硼酸ナトリウム等の漂白剤を組成物中０．０１質量％以上１０質量％以下
（ｄ３）テトラアセチルエチレンジアミン、特開平６−３１６７００号の一般式（Ｉ−２）〜（Ｉ−７）で表される漂白活性化剤等の漂白活性化剤を組成物中０．０１質量％以上１０質量％以下、
（ｄ４）セルラーゼ、アミラーゼ、ペクチナーゼ、プロテアーゼ及びリパーゼから選ばれる１種以上の酵素、好ましくはアミラーゼ及びプロテアーゼから選ばれる１種以上の酵素を組成物中０．００１質量％以上、好ましくは０．０１質量％以上、より好ましくは０．１質量％以上、更に好ましくは０．３質量％以上、そして、２質量％以下、好ましくは１質量％以下
（ｄ５）蛍光染料、例えばチノパールＣＢＳ（商品名、チバスペシャリティケミカルズ製）やホワイテックスＳＡ（商品名、住友化学社製）として市販されている蛍光染料を組成物中０．００１質量％以上１質量％以下
（ｄ６）ブチルヒドロキシトルエン、ジスチレン化クレゾール、亜硫酸ナトリウム及び亜硫酸水素ナトリウム等の酸化防止剤を組成物中０．０１質量％以上２質量％以下
（ｄ７）色素、香料、抗菌防腐剤、シリコーン等の消泡剤を適量。
【００７１】
本発明は、本発明の衣料用ケア組成物及び水を含有するケア液で衣料を処理する、衣料のケア法を提供する。このケア法には、本発明のケア法で述べた事項を適宜適用することができる。衣料の処理は、衣料が水中で擦れ合うような状態が生じる処理が挙げられる。本発明のケア方法を手洗い洗浄の際に適用してもよい。
【００７２】
本発明の衣料のケア方法に使用する水は、硬度を有する水が好ましい。水の硬度は、衣料等の繊維製品に対する風合い付与効果をより向上できる観点から、ドイツ硬度で、好ましくは１°ｄＨ以上、より好ましくは２°ｄＨ以上、更に好ましくは３．５°ｄＨ以上、より更に好ましくは５°ｄＨ以上、より更に好ましくは７°ｄＨ以上、そして、好ましくは２０°ｄＨ以下、より好ましくは１８°ｄＨ以下、更に好ましくは１５°ｄＨ以下である。ここで、本明細書におけるドイツ硬度（°ｄＨ）とは、水中におけるカルシウム及びマグネシウムの濃度を、ＣａＣＯ３換算濃度で１ｍｇ／Ｌ（ｐｐｍ）＝約０．０５６°ｄＨ（１°ｄＨ＝１７．８ｐｐｍ）で表したものを指す。
【００７３】
このドイツ硬度のためのカルシウム及びマグネシウムの濃度は、エチレンジアミン四酢酸二ナトリウム塩を使用したキレート滴定法で求められる。
【００７４】
本明細書における水のドイツ硬度の具体的な測定方法を下記に示す。
［水のドイツ硬度の測定方法］
〔試薬〕
・０．０１ｍｏｌ／ｌ  ＥＤＴＡ・２Ｎａ溶液：エチレンジアミン四酢酸二ナトリウムの０．０１ｍｏｌ／ｌ水溶液（滴定用溶液、0.01 M EDTA-Na2、シグマアルドリッチ（SIGMA-ALDRICH）社製）
・Ｕｎｉｖｅｒｓａｌ  ＢＴ指示薬（製品名：Ｕｎｉｖｅｒｓａｌ  ＢＴ、（株）同仁化学研究所製）
・硬度測定用アンモニア緩衝液（塩化アンモニウム６７．５ｇを２８ｗ／ｖ％アンモニア水５７０ｍｌに溶解し、イオン交換水で全量を１０００ｍｌとした溶液）
〔硬度の測定〕
（１）試料となる水２０ｍｌをホールピペットでコニカルビーカーに採取する。
（２）硬度測定用アンモニア緩衝液２ｍｌ添加する。
（３）Ｕｎｉｖｅｒｓａｌ  ＢＴ指示薬を０．５ｍｌ添加する。添加後の溶液が赤紫色であることを確認する。
（４）コニカルビーカーをよく振り混ぜながら、ビュレットから０．０１ｍｏｌ／ｌ  ＥＤＴＡ・２Ｎａ溶液を滴下し、試料となる水が青色に変色した時点を滴定の終点とする。
（５）全硬度は下記の算出式で求める。
硬度（°ｄＨ）＝Ｔ×０．０１×Ｆ×５６．０７７４×１００／Ａ
Ｔ：０．０１ｍｏｌ／ｌ  ＥＤＴＡ２Ｎａ溶液の滴定量（ｍＬ）
Ａ：サンプル容量（２０ｍＬ、試料となる水の容量）
Ｆ：０．０１ｍｏｌ／ｌ  ＥＤＴＡ２Ｎａ溶液のファクター
【００７５】
本発明で用いられるケア液は、（ａ）成分、（ｂ）成分、及びドイツ硬度が１°ｄＨ以上２０°ｄＨ以下の水を混合して得られたケア液が好ましい。
【００７６】
本発明の衣料のケア方法において、衣料の質量（ｋｇ）とケア液の量（リットル）の比で表される浴比の値、すなわちケア液の量（リットル）／衣料の質量（ｋｇ）（以下、この比を浴比とする場合もある）の値は、衣料に発生する毛玉を抑制できる観点から、好ましくは２以上、より好ましくは３以上、そして、好ましくは１００以下、より好ましくは６０以下、更に好ましくは３０以下、より更に好ましくは１０以下である。
【００７７】
本発明の衣料のケア方法は、衣料をケア液と接触させて処理することが好ましい。衣料をケア液と接触させる時間は、本発明の効果の観点から、好ましくは１分以上、より好ましくは２分以上、更に好ましくは３分以上、そして、好ましくは６時間以下、より更に好ましくは３時間以下、より更に好ましくは１時間以下である。
【００７８】
本発明の衣料ケア組成物を用いた態様として、例えば、
（１）手洗い洗濯時に洗濯液中に、本発明の衣料用ケア組成物を１ｇ／Ｌ以上２０ｇ／Ｌ以下の範囲で存在させて、手洗い洗濯液中の衣料のすべり性を改善する方法
（２）手洗い洗濯時に洗濯液中に、（ａ）成分を０．０２ｇ／Ｌ以上３ｇ／Ｌ以下、（ｂ）成分を０．０２ｇ／Ｌ以上１ｇ／Ｌ以下の範囲で存在させて、手洗い洗濯液中の衣料のすべり性を改善する方法
（３）本発明の衣料用ケア組成物を１ｇ／Ｌ以上２０ｇ／Ｌ以下の範囲で含有する洗濯液を用いて衣料の手洗い洗濯を行う、洗濯方法
（４）（ａ）成分を０．０２ｇ／Ｌ以上３ｇ／Ｌ以下、（ｂ）成分を０．０２ｇ／Ｌ以上１ｇ／Ｌの範囲で含有する洗濯液を用いて衣料の手洗い洗濯を行う、洗濯方法
などが挙げられる。
【実施例】
【００７９】
＜配合成分＞
【００８０】
〔（ａ）成分〕
脂肪酸アミドエタノール（１）：一般式（Ｉ）中、Ｒ１が炭素数７〜１７の混合アルキル基、Ｒ２がメチル基、Ｒ３がエチレン基のノニオン界面活性剤
脂肪酸アミドエタノール（２）：ヤシ組成脂肪酸ジエタノールアミド
アルキルグリコシド（１）：一般式（II）中、Ｒ１ａがデシル基、Ｇがグルコースに由来する残基、ｘが０、ｙが１．３の化合物
アルキルグリコシド（２）：一般式（II）中、Ｒ１ａがラウリル基、Ｇがグルコースに由来する残基、ｘが０、ｙが１．４の化合物
【００８１】
〔（ｂ）成分〕
ＨＥＣ（１）：ヒドロキシエチルセルロース（４８００〜６０００ｍＰａ・ｓ／２質量％水溶液／２０℃）
【００８２】
〔（ｃ）成分〕
ＡＥＳ（１）：ポリオキシエチレンアルキルエーテル硫酸エステルナトリウム塩（オキシエチレン基の平均付加モル数は２、アルキル基は炭素数１２以上１６以下の混合アルキル基）
ＡＥ（１）：ポリオキシエチレンアルキルエーテル（オキシエチレン基の平均付加モル数は２１モル、アルキル基はラウリル基）
【００８３】
〔水〕
イオン交換水
【００８４】
＜衣料用ケア組成物の調製＞
上記の配合成分及び表の成分を用いて、表１、２に示す衣料用ケア組成物を調製し、表１の組成物については、以下の項目について評価を行った。結果を表１に示す。
表１、２に示す衣料用ケア組成物は、具体的には次の通り調製した。２００ｍＬ容量のガラス製ビーカーに長さ５ｃｍのテフロン（登録商標）製スターラーピースを投入し質量を測定した。次に２０℃のイオン交換水８０ｇ、（ａ）成分、（ｂ）成分、（ｃ）成分、任意成分を投入し、ビーカーの上面をサランラップ（登録商標）で封をした。
内容物が入ったビーカーをマグネチックスターラーに設置した６０℃のウォーターバスに入れ、ウォーターバス内の水の温度が６０±２℃の温度範囲内で、１００ｒ／ｍｉｎで３０分間撹拌した。次に、ウォーターバス内の水を５℃の水道水に替え、ビーカー内の該組成物の温度が２０℃になるまで冷却した。次に、サランラップ（登録商標）を外し、内容物の質量が１００ｇになるように、イオン交換水を入れ、再度、１００ｒ／ｍｉｎで３０秒間撹拌し、表１に記載の衣料用ケア組成物を得た。なお、各衣料用ケア組成物のｐＨ（３０℃）は、前記のｐＨ測定方法で測定した結果、４〜６の範囲であった。
【００８５】
＜湿潤時の布間摩擦の測定方法（平均動摩擦係数の測定）＞
・装置：ハンディトライポマスター  Ｔｙｐｅ：ＴＬ２０１Ｔｓ、静・動摩擦測定器、株式会社トリニティラボ製、液受けバット、面接触子（接触面積２ｃｍ×２ｃｍ）
・測定条件：荷重１００ｇ、速度２ｍｍ／ｓｅｃ、測定距離５０ｍｍ、往復回数５回、布含水率４５０〜５００質量％
・試験布：綿メリヤス（茶）、小倉産業より購入（綿ニット未シル）
・試験布の前処理
試験布２．０ｋｇを市販洗剤（アタックバイオＥＸ、花王株式会社）で５回繰り返し洗濯した（洗剤濃度、１．５ｇ／Ｌ、水量４０リットル、洗い６分、注水すすぎ２回、脱水３分、洗濯機：ＮＡ−Ｆ７０ＰＸ９、Ｐａｎａｓｏｎｉｃ（株）製）。洗濯後の試験布を室内（１５〜２５℃／３０〜６０％ＲＨ）で２４時間乾燥させた。
・サンプル液：衣料用ケア組成物を、濃度５ｇ／Ｌで、硬度５°ＤＨ、アルカリ度３０の水と混合して得たサンプル液
・評価方法
１．面接触子側の試験布と液受けバット側の試験布を１分間サンプル液に浸漬した。
２．布を濡れた状態で、面接触子に面接触子側の試験布を固定し、液受けバットに液受けバット側の試験布をのせた。
３．摩擦測定器の測定条件を設定し、湿潤時布間摩擦を行った。
４．動摩擦係数の５回平均値を算出した。
比較例９を基準組成物とし、該組成物で処理された試験布の平均動摩擦係数Ｘと各組成物で処理された衣料用ケア組成物で処理された試験布の平均動摩擦係数Ｙとの比である、Ｘ／Ｙの値を表１に記載した。Ｘ／Ｙが１未満であることが合格である。
【００８６】
＜洗浄力の評価方法＞
〔モデル皮脂汚れの調製〕
以下の組成を有するモデル皮脂汚れ（人工汚垢のＡに相当）を作製し、モデル皮脂汚れを含む人工汚垢を人工汚染布及び評価用衣料の作製に用いた。
・モデル皮脂汚れ組成：
ラウリン酸０．４４質量部、ミリスチン酸３．１５質量部、ペンタデカン酸２．３５質量部、パルチミチン酸６．３１質量部、ヘプタデカン酸０．４４質量部、ステアリン酸１．６質量部、オレイン酸７．９１質量部、トリオレイン１３．３３質量部、パルミチン酸ｎ−ヘキサデシル２．２２質量部、スクアレン６．６６質量部
【００８７】
〔人工汚染布の作製〕
・人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。
Ａ：モデル皮脂汚れ（人工汚垢中の質量％が、ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％となる量で用いる）
Ｂ：塩化カルシウムの２水塩１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）Ｄ：鹿沼赤土８．１１質量％
Ｅ：カーボンブラック０．０２５質量％
使用した人工汚染布は、６ｃｍ×６ｃｍの木綿／ポリエステルブロード混紡染着布（木綿／ポリエステル比＝３５／６５、谷頭商店より購入）に、上記組成から成る人工汚垢を１枚当り１００ｍｇになるようグラビア塗工したものである。
【００８８】
〔洗浄条件〕
モデル水道水として、イオン交換水に硬度成分を５ＤＨ°（Ｃａ／Ｍｇ＝７／３、質量比）になるように加えた水を使用した。このモデル水道水０．６リットルに、表４の衣料用ケア組成物を０．６ｇ加え、人工汚染布を４枚入れた。ターゴトメーターで、１００回転、１０分間の条件で洗浄した。
洗浄力は、汚染前の原布、及び洗浄前後の５５０ｎｍにおける反射率を測色色差計（日本電色株式会社製Ｚ−３００Ａ）にて測定し、次式によって洗浄率（％）を求めた。汚染布４枚についてそれぞれ測定し平均値を求めた。洗浄率は３０％以上が合格ラインであり、数値が高い方がより好ましい。
洗浄率（％）＝１００×［（洗浄後の反射率−洗浄前の反射率）／（原布の反射率−洗浄前の反射率）］
【００８９】
【表１】
2020100723.tif 000006
【００９０】
摩擦係数の低下により、衣料ケア効果が期待できる。具体的には前記の衣料ケアの評価方法で評価することができる。表１中、実施例の組成物は、平均動摩擦係数が比較例よりも小さく、衣料ケア効果に優れると判断される。
【００９１】
【表２】
2020100723.tif 000007
【００９２】
表２の実施例の組成物は衣料に付着した汚れを洗浄することができる。実施例の組成物は、（ａ）成分、（ｂ）成分及び（ｃ）成分を本発明の条件で含有するものであり、衣料に対する摩擦低下の効果を発揮できる。